(57)【要約】【課題】詰め替え用パウチの分野において、特に、内容物をボトル等に移し替える際、その手間を大幅に簡略化することのできる詰め替え用治具と、それを取り付けた詰め替え用パウチを提供する。【解決手段】注出口付きの詰め替え用パウチに用いる詰め替え用治具１００　を、少なくともパウチの注出口に係止する係止部２と、パウチの支持部１と、内容物を移し替えるボトルの口部に嵌め込む装着部３とを有する形状に形成し、それをパウチの注出口のフランジなどに前記係止部２を嵌め込んで取り付けて詰め替え用パウチを構成する。【選択図】　　　　図１
2004123098.tif 000002
【特許請求の範囲】
【請求項１】
注出口付きパウチに充填された内容物をボトルに詰め替える際に用いる詰め替え用治具であって、該詰め替え用治具が、少なくともパウチの注出口に係止する係止部とパウチの支持部とボトルの口部に嵌め込む装着部とを有する形状に形成されていることを特徴とする詰め替え用治具。
【請求項２】
請求項１に記載した詰め替え用治具が、パウチの注出口に取り付けられていることを特徴とする詰め替え用パウチ。
【請求項３】
前記パウチが、自立性を有する形式に形成されていることを特徴とする請求項２に記載の詰め替え用パウチ。
【発明の詳細な説明】
【０００１】
【発明の属する技術分野】
本発明は、詰め替え用治具及びそれを取り付けた詰め替え用パウチに関し、更に詳しくは、注出口付きの詰め替え用パウチに充填された内容物をボトルに詰め替える際に、好適に用いることのできる詰め替え用治具と、それをパウチの注出口に取り付けた詰め替え用パウチであって、パウチに充填された内容物の詰め替え作業を一層容易に行えるようにした詰め替え用パウチに関する。
【０００２】
【従来の技術】
従来、液状などの流動性を有する内容物を密封包装し、内容物を使用する際に、専用のボトルなどに詰め替えて使用する詰め替え用パウチとしては、その詰め替え作業を安全且つ容易にするため、種々の形状、構成の詰め替え用パウチが開発されている。
このような詰め替え用パウチとして、例えば、袋の注ぎ口形成部の両側部を袋表面側に折り曲げて、端縁部同士を重ね合わせ、その部分に係止部を設けて係止できるようにした袋がある（例えば、特許文献１参照。）。
また、パウチの端縁部に設けられた注出口部を、内容物の移し替えを行う際、容器の口部に固定しやすくするための係止部を、注出口部の外側を取り囲むように設けた詰め替え用パウチがある（例えば、特許文献２参照。）。
そして、注出口の開口を確実にし、また、容器の口部への固定を容易にするために、プラスチックの成形物による注出口をパウチの上部の一部に熱接着して取り付けた詰め替え用パウチがある（例えば、特許文献３参照。）。
【０００３】
【特許文献１】
特開２００１−１９９４５４号公報（第２頁、第１図、第３図）
【特許文献２】
特開平１１−４９１８６号公報（第２〜３頁、第１図）
【特許文献３】
特開平１０−２７８９４７号公報（第２〜３頁、第２図、第３図）
【０００４】
【発明が解決しようとする課題】
しかしながら、上記のような従来の詰め替え用パウチは、いずれも内容物をボトルなどに移し替える際、外にこぼさないという安全性、或いは、手で持ちやすくするなど操作性の点では、それぞれ改善されているが、いずれも移し替えの操作中、手でパウチを傾けて持ち続ける必要があり、特に内容物が比較的粘度の高いものの場合などは、移し替えに時間がかかるため、この操作が煩わしくなる問題があった。
【０００５】
本発明は、このような問題点を解決するためになされたものであり、その目的とするところは、液状などの流動性を有する内容物を密封包装し、内容物の使用時には、専用のボトルなどに移し替えて使用する詰め替え用パウチであって、パウチの口部にはプラスチックの成形体による注出口と、それに嵌め込んで使用する詰め替え用治具が取り付けられ、内容物を移し替える際には、パウチの注出口に取り付けられた詰め替え用治具を、パウチを倒立させてボトルの口部に差し込むだけで、パウチを手で持ち続けなくても、安全に最後まで内容物を移し替えることができるという、使用適性に優れた詰め替え用治具と、その詰め替え用治具を取り付けた詰め替え用パウチを提供することにある。
【０００６】
【課題を解決するための手段】
上記の課題は、以下の本発明により解決することができる。
即ち、請求項１に記載した発明は、注出口付きパウチに充填された内容物をボトルに詰め替える際に用いる詰め替え用治具であって、該詰め替え用治具が、少なくともパウチの注出口に係止する係止部とパウチの支持部とボトルの口部に嵌め込む装着部とを有する形状に形成されていることを特徴とする詰め替え用治具からなる。
【０００７】
前記パウチの注出口は、プラスチックの成形体による注出口をその基部でパウチの口部に熱接着して取り付けることができる。そして、前記詰め替え用治具のパウチの注出口に係止する係止部は、例えば、注出口のフランジ部などに嵌め込んで係止できればよく、少なくとも詰め替え用治具が、水平方向に回転しないように係止できればよい。
【０００８】
前記詰め替え用治具のボトルの口部に嵌め込む装着部は、ボトルの口部周壁の内側または外側に嵌め込んで、詰め替え用治具をパウチと共に倒立状態に装着できればよく、ボトルの口部の形状に対応する筒状の形状に形成することが好ましい。
また、詰め替え用治具のパウチの支持部は、内容物が充填されたパウチを倒立させて前記装着部でボトルの口部に装着した時、パウチが前後などに折れ曲がることがないように両側から支持できればよく、その形状は自由に形成することができる。
このような詰め替え用治具は、特に限定はされないが、例えばプラスチックの射出成形により、前記パウチの注出口に係止する係止部とパウチの支持部とボトルの口部に嵌め込む装着部とを容易に一体化成形して作製することができる。
【０００９】
このような構成を採ることにより、本発明の詰め替え用治具は、口部に注出口が取り付けられた詰め替え用パウチの注出口のフランジ部などに、その係止部を嵌め込んで容易に取り付けることができる。
詰め替え用治具が取り付けられた詰め替え用パウチは、注出口を開口させて、内容物の移し替えを行うボトルの口部に、詰め替え用治具の前記装着部を容易に嵌め込んでパウチを倒立させて装着することができる。
ボトルの口部に装着された詰め替え用パウチは、その両側の壁面が、詰め替え用治具のパウチの支持部で支えられるので、折れ曲がることがなく倒立した状態に安定して保持され、手でパウチを持つ必要もなく、放置するだけで内容物がボトル内に自然に流出し、最後まで安全に移し替えることができる。
【００１０】
請求項２に記載した発明は、請求項１に記載した詰め替え用治具が、パウチの注出口に取り付けられていることを特徴とする詰め替え用パウチからなる。
【００１１】
前記詰め替え用パウチのパウチ本体部は、特に限定はされず、例えば、三方シール形式、四方シール形式、ピローパウチ形式などの平パウチのほか、スタンディングパウチ形式やガセットパウチ形式などの自立性を有する形式のパウチなど、いずれも採用することができる。
只、内容物充填後の流通段階や店頭での陳列時などの取り扱い性や外観などの点では、スタンディングパウチ形式やガセットパウチ形式などの自立性を有する形式のパウチとすることが好ましい。
【００１２】
前記のような構成を採ることにより、請求項１に記載した発明の詰め替え用治具の機能を、そのまま詰め替え用パウチに付与することができるので、パウチに充填された内容物をボトルに移し替える際、パウチの注出口を開口させ、詰め替え用治具のボトルの口部に嵌め込む装着部を、ボトルの口部に装着するだけで、その後はパウチを手で持つ必要がなく、内容物の粘度が比較的高く移し替えに時間を要する場合でも、そのまま放置することにより、最後まで安全に内容物を移し替えることができるという、使用適性に優れた詰め替え用パウチを提供することができる。
【００１３】
請求項３に記載した発明は、前記パウチが、自立性を有する形式に形成されていることを特徴とする請求項２に記載の詰め替え用パウチである。
【００１４】
上記自立性を有する形式は、特に限定はされず、パウチに自立性を付与できる形式であれば何でもよい。代表的な自立性を付与できる形式として、例えば、スタンディングパウチ形式や、両側にガセット部を設けたガセット形式のパウチがある。
特に、スタンディングパウチは自立性がよく、これはパウチの底部を、両側壁面の積層フィルムの下部の間に、底面フィルムを内側に折り返して挿入して形成されるガセット形式で形成し、内側に折り込まれた底面フィルムの両側下端近傍にはスポット状などの底面フィルム切り欠き部を設けておいて、そのガセット部を内側が両側から中央部にかけて湾曲線状などに凹状となる船底形などのシールパターンでヒートシールして形成するものである。パウチの底部をこのように形成することにより、内容物を充填した際、パウチの底部が前後に大きく広がりフラットに近い底面が形成されると共に、底部の外周にはヒートシール部による脚部が形成されるので、パウチに優れた自立性を付与することができる。
【００１５】
従って、前記のような構成を採ることにより、請求項２に記載した発明の作用効果に加えて、パウチに自立性が確実に付与されるので取り扱いが一層容易になるほか、容量の割にコンパクトに包装することができ、また、外観にも優れた詰め替え用パウチを提供することができる。
【００１６】
【発明の実施の形態】
以下に、本発明の詰め替え用治具、およびそれを取り付けた詰め替え用パウチについて、その材料、および製造方法など実施の形態について説明する。
本発明の詰め替え用治具は、プラスチックの射出成形により作製することが、生産性に優れる点で好ましく、プラスチックの材料自体は、特に限定はされず、射出成形の可能な樹脂であれば何でもよく、例えば、ポリプロピレン、ポリエチレン、ハイインパクトポリスチレン（ＨＩＰＳ）、ＡＢＳ樹脂、ポリエステル、ポリアミドなどを好適に使用することができる。中でもポリプロピレン、ポリエチレンは、密度が小さく軽量にでき、且つ、コストも廉価であるため、特に好ましく使用することができる。
【００１７】
パウチの口部に取り付ける注出口は、前記詰め替え用治具と同様に、プラスチックの射出成形により作製することが生産性に優れる点で好ましい。只、注出口は、パウチの口部の積層フィルムの間に挿入し、積層フィルムのシーラント層と熱接着させて取り付けるため、シーラント層と熱接着可能な樹脂であることが必要であり、シーラント層の樹脂に対応して、ポリプロピレン、ポリエチレン、ポリエステル、またはこれらを主体とするブレンド樹脂などを使用することができる。
【００１８】
次に、詰め替え用パウチのパウチ本体には、プラスチックを主体とする積層フィルムが用いられるが、特に限定はされず、例えば、各種液体用パウチに用いられている公知の積層フィルムは、いずれも使用することができる。
これらの中から、包装する内容物の種類や充填後の使用条件に応じて適するものを自由に選択して使用することができる。
好ましく使用できる積層フィルムの構成の代表的な例として、以下のような構成が挙げられる。
【００１９】
（１）　ＯＮフィルム／接着剤／Ｌ・ＬＤＰＥフィルムまたはＣＰＰフィルム（シーラント層）
（２）　ＯＮフィルム／接着剤／二軸延伸ＨＤＰＥフィルム／接着剤／Ｌ・ＬＤＰＥフィルムまたはＣＰＰフィルム（シーラント層）
（３）　ＯＮフィルム／接着剤／二軸延伸ＰＰフィルム／接着剤／Ｌ・ＬＤＰＥフィルムまたはＣＰＰフィルム（シーラント層）
（４）　ＯＮフィルム／接着剤／二軸延伸ＰＰフィルム／接着剤／アルミニウム箔／接着剤／Ｌ・ＬＤＰＥフィルムまたはＣＰＰフィルム（シーラント層）
（５）　ＯＮフィルム（シリカまたはアルミナまたはアルミニウム蒸着層）／接着剤／二軸延伸ＨＤＰＥフィルム／接着剤／Ｌ・ＬＤＰＥフィルムまたはＣＰＰフィルム（シーラント層）
（６）　ＯＮフィルム／アンカーコート層／共押し出しコート層（ＨＤＰＥ層／Ｌ・ＬＤＰＥ層）（シーラント層はＬ・ＬＤＰＥ層）
（７）　ＯＮフィルム／アンカーコート層／共押し出しコート層（ＨＤＰＥ層／ＬＤＰＥ層）／接着剤／Ｌ・ＬＤＰＥフィルムまたはＣＰＰフィルム（シーラント層）
（８）　ＰＥＴフィルム／接着剤／アルミニウム箔／接着剤／ＯＮフィルム／接着剤／Ｌ・ＬＤＰＥフィルムまたはＣＰＰフィルム（シーラント層）
（９）　ＰＥＴフィルム／接着剤／（シリカまたはアルミナまたはアルミニウム蒸着層）ＯＮフィルム／接着剤／Ｌ・ＬＤＰＥフィルムまたはＣＰＰフィルム（シーラント層）
（１０）ＰＥＴフィルム／接着剤／ＯＮフィルム／接着剤／アルミニウム箔／接着剤／Ｌ・ＬＤＰＥフィルムまたはＣＰＰフィルム（シーラント層）
（１１）ＰＥＴフィルム／接着剤／ＥＶＯＨフィルム／接着剤／ＯＮフィルム／接着剤／Ｌ・ＬＤＰＥフィルムまたはＣＰＰフィルム（シーラント層）
などが挙げられるが、これらに限定されるものではなく様々な組み合わせの積層フィルムを使用することができる。
【００２０】
上記において、ＯＮフィルムは２軸延伸ナイロンフィルム、Ｌ・ＬＤＰＥは直鎖状低密度ポリエチレン、ＨＤＰＥは高密度ポリエチレン、ＬＤＰＥは低密度ポリエチレン、ＰＰフィルムはポリプロピレンフィルム、ＰＥＴフィルムは２軸延伸ポリエチレンテレフタレートフィルム、ＥＶＯＨフィルムはエチレン−酢酸ビニル共重合体ケン化物フィルム、ＣＰＰフィルムは無延伸ポリプロピレンフィルムを指すものである。
また、アンカーコートは、押し出しコーティングなどで樹脂を積層する際、接着性を向上させるために基材フィルム側に予めコーティングするものでプライマーコートの一種である。
【００２１】
前記の積層フィルムの構成において、最外層のＯＮフィルム、ＰＥＴフィルムは、基材フィルムとしてパウチに機械的強度や耐熱性、印刷適性を付与し、中間層に二軸延伸ＨＤＰＥフィルムまたは二軸延伸ＰＰフィルムを用いた場合は、積層フィルムの強度および透湿度を向上させることができる。中間層のＯＮフィルムは主に機械的強度を向上させるものであり、特に低温の条件下でも強度低下が少ないため、低温の条件下で使用される場合に適している。
そして、アルミニウム箔、シリカまたはアルミナまたはアルミニウム蒸着層、ＥＶＯＨフィルムなどは、主にガスバリヤー性を付与するために積層するものである。
【００２２】
シーラント層としては、Ｌ・ＬＤＰＥフィルムとＣＰＰフィルムの２種類の例を挙げたが、Ｌ・ＬＤＰＥフィルムは、ヒートシールの安定性や耐内容物性、例えば界面活性剤に対する耐ストレスクラッキング性などに優れ、ＣＰＰフィルムは、耐熱性、低臭性に優れており、これらの性能を必要とする内容物の包装用に適している。
シーラント層には上記のほか、充填される内容物に応じて、エチレン・αオレフィン共重合体、エチレン・酢酸ビニル共重合体、エチレン・アクリル酸共重合体、エチレン・アクリル酸エステル共重合体、アイオノマー、ポリエステル系樹脂なども適宜選択して使用することができる。
【００２３】
特に、エチレン・αオレフィン共重合体でメタロセン系触媒などシングルサイト触媒を用いて重合したものは、分子量分布の幅が狭く、共重合比も安定しているため、低温ヒートシール性や、熱間シール性に優れており、特にスタンディングパウチのようなヒートシール部にフィルムの重なりの差による段差のあるパウチのシーラント層には、シール抜けによるピンホールの発生を防止できる点で適している。
更に、前記共重合体にオレフィン系エラストマーをブレンドしたものを用いることにより、シーラント層の熱流動性が改善され、前記段差によるピンホールの発生も一層効果的に防止することができる。
【００２４】
次に、以上のような積層フィルムを用いて製造する本発明の詰め替え用パウチの製造方法について説明する。
本発明の詰め替え用パウチは、パウチの口部に取り付ける注出口と、それに係止して取り付ける詰め替え用治具に主な特徴を有するものであり、パウチ本体部の形式は、特に限定はされず、例えば、三方シール形式、四方シール形式、ピローパウチ形式などの平パウチ形式のほか、スタンディングパウチ形式やガセットパウチ形式などの立体構造を持つ自立袋形式を採ることができる。
【００２５】
従って、基本的にはパウチ本体部の形式に応じて、三方シール形式、四方シール形式のパウチの製袋機、或いはスタンディングパウチやガセットパウチ用などの製袋機を利用して、これに注出口の熱接着装置などを追加付設するか、或いは、別ラインとして用意することにより、容易に製造することができる。
【００２６】
【実施例】
以下に、図面を用いて本発明を更に具体的に説明する。但し、本発明はその要旨を超えない限り、これらの図面に限定されるものではない。
図１は、本発明の詰め替え用治具の一実施例の構成を説明する図であり、（イ）は正面から見た中心部の縦断面図、（ロ）は下側から見た平面図、（ハ）は側面から見た中心部の縦断面図である。
図２は、本発明の詰め替え用治具を取り付ける注出口付きパウチの一実施例の構成を示す要部の正面図である。
図３は、図２に示した注出口付きパウチに取り付けるキャップの一例の構成を示す図であり、（イ）は中心部の縦断面図、（ロ）は下側から見た平面図、（ハ）は正面図である。
そして、図４は、本発明の詰め替え用治具を取り付けた詰め替え用パウチの一実施例の構成を説明する要部の正面図である。
【００２７】
図１に示した詰め替え用治具１００は、図１の（イ）、（ハ）の縦断面図に示すように、上部にボトルの口部に嵌め込む円筒状の装着部３を有し、その下端の外側には、下方に伸びパウチの前後の壁面を両側から支える二股状のパウチの支持部１が連続して設けられ、その内側には、パウチの注出口のフランジなどに係合して詰め替え用治具１００を注出口に係止する係止部２〔図１の（ロ）も参照〕が設けられて構成されている。
【００２８】
このような詰め替え用治具１００は、プラスチックの射出成形法により、前記ボトルの口部に嵌め込む装着部３と、その下のパウチの支持部１およびパウチの注出口に係止する係止部２を、容易に一体化成形して作製することができる。
【００２９】
図２は、本発明の詰め替え用治具を取り付ける注出口付きパウチの一実施例の構成を示す要部の正面図であり、図２に示した注出口付きパウチ２００は、パウチ本体１１の上部の中央部に、プラスチックの成形体よりなるパウチの注出口６を、その接着基部１０を挿入しパウチの内面に上部のヒートシール部１２と共に熱接着して取り付けて構成したものである。
上記パウチの注出口６は、中心に筒状部７を有し、その上部にキャップを装着するための注出口のネジ部９が設けられ、その下にパウチへの取り付けや取り付け後のパウチの搬送などに使用するフランジ８ａ　、８ｂ　、８ｃ　が設けられ、更にその下に、パウチへの熱接着を容易にするための横断面が瞼形などの接着基部１０が設けられて構成されている。
【００３０】
前記パウチ本体１１の形式は、前述したように特に限定はされず何でもよいが、自立性を備えたスタンディングパウチまたはガセットパウチであることが、内容物充填後の取り扱い性に優れる点で一層好ましい。
また、前記フランジ８ａ　、８ｂ　、８ｃ　のうち、最上部のフランジ８ａ　は、この場合、後で説明する図４に示すように、注出口６に詰め替え用治具１００を嵌め込んで係止する際、注出口側の係止部としても使用するものであり、前記図１の（ロ）の平面図に示した詰め替え用治具１００のパウチの注出口に係止する係止部２、２に対応して、平面の外形が八角形状になるように形成することが好ましい。
【００３１】
図３は、図２に示した注出口付きパウチに取り付けるキャップの一例の構成を示す図であり、（イ）は中心部の縦断面図、（ロ）は下側から見た平面図、（ハ）は正面図である。
図３に示したキャップ５０は、円形の天板と、その外周に沿って下方に連設された円筒形のキャップの外周壁４と、その内側に設けられた前記注出口の上部のネジ部９にネジ締めされるキャップのネジ部５を備えた内側の周壁とで構成され、更に、キャップの外周壁４の外面には、キャップ５０の締め外しの際のスリップを防止するための縦方向の凹凸条が設けられて構成されている。
【００３２】
このような構成を採ることにより、キャップ５０の締め外しの際のグリップ部、即ち、キャップ５０の外周壁４の外径を、実際のネジ締め部（前記内側の周壁）の外径よりも大きくできるのでテコの作用が得られ、より小さな力でキャップ５０の締め外しを行えるようになる。
【００３３】
次に、図４は、本発明の詰め替え用治具を取り付けた詰め替え用パウチの一実施例の構成を説明する要部の正面図であり、図４に示した詰め替え用治具を取り付けた詰め替え用パウチ３００は、前記図２に示した注出口付きパウチ２００の注出口６に、図１に示した詰め替え用治具１００を、そのフランジ８ａ　にパウチの注出口に係止する係止部２嵌め込んで係止させ、次いで、注出口６の上部のネジ部９に図３に示したキャップ５０をネジ締めして構成したものである。
【００３４】
このような構成の詰め替え用パウチ３００に内容物を充填する場合、パウチ本体１１の形式により、パウチの底部を内容物の充填口に使用できる場合は、前記パウチの上部の構成、即ち、注出口６に詰め替え用治具１００とキャップ５０の取り付けを予め済ませておいて、パウチの底部から内容物を充填し、充填後、底部をヒートシールして密封することができる。
また、パウチ本体１１がスタンディングパウチのように、底部を内容物の充填口に使用できない場合は、注出口６を内容物の充填口に使用し、内容物の充填後に、詰め替え用治具１００とキャップ５０を注出口６に取り付けるようにしてもよい。更に、パウチの側部を内容物の充填口に使用することも三方シール形式や四方シール形式のパウチの場合は可能である。
【００３５】
前記のような構成を採ることにより、詰め替え用パウチ３００に充填された内容物をボトルに詰め替える際には、先ず、キャップ５０を取り外して注出口６を開口させ、次いで、内容物の移し替えを行うボトルの口部に、詰め替え用パウチ３００の注出口６に取り付けられた詰め替え用治具１００の前記装着部３をパウチと共に倒立させて、内嵌合または外嵌合させて差し込むことにより、容易にボトルの口部に詰め替え用パウチ３００を倒立させて装着することができる。
ボトルの口部に装着された詰め替え用パウチ３００は、その両側の壁面が、詰め替え用治具１００のパウチの支持部１で支えられるので、折れ曲がることがなく倒立した状態に安定して保持され、手でパウチを持つ必要もなく、放置するだけで内容物がボトル内に自然に流出し、最後まで安全に移し替えることができる。
尚、図４では、詰め替え用治具１００が予め詰め替え用パウチ３００に組付けられた形態の構成を示したが、詰め替え用治具１００を詰め替え用パウチに添付する形態として、内容物の使用時にパウチの注出口６に嵌め込んで使用するようにしてもよい。
【００３６】
更に、本発明において、詰め替え用治具は、図１、図４では詰め替え用治具１００が単独で成形された例を示したが、例えば、詰め替え用治具をキャップまたはパウチの注出口と一体化成形することもできる。但し、そのまま一体化成形したのではパウチへの取り付けができないため、例えば、詰め替え用治具１００の二股のパウチの支持部１を両側に分割し、それぞれにヒンジ部などを設けて上下に開閉できる構成とすることにより、容易に取り付けが可能となる。
そして、詰め替え用治具をキャップと一体化成形する場合は、両者を切り離し可能なつなぎ部を介して一体化成形することにより、成形工程を簡略化できると同時に、詰め替え用パウチにピルファープルーフ機能を付加できるメリットを得ることができる。
また、詰め替え用治具をパウチの注出口と一体化成形した場合でも、成形工程を簡略化することができる。
【００３７】
【発明の効果】
以上、詳しく説明したように、本発明によれば、液状などの流動性を有する内容物を密封包装し、内容物の使用時には、専用のボトルなどに移し替えて使用する詰め替え用パウチであって、パウチの口部にはプラスチックの成形体による注出口と、それに嵌め込んで使用する詰め替え用治具が取り付けられ、内容物を移し替える際には、パウチの注出口を開口させ、パウチの注出口に取り付けられた詰め替え用治具のボトルの口部に嵌め込む装着部を、パウチを倒立させてボトルの口部に差し込むだけで、その後はパウチを手で持ち続ける必要がなく、内容物の粘度が比較的高く、移し替えに時間を要する場合でも、そのまま放置することにより、最後まで安全に内容物を移し替えることができるという、使用適性に優れた詰め替え用治具と、その詰め替え用治具が取り付けられ、内容物の詰め替え作業が大幅に簡便にされた詰め替え用パウチを提供できる効果を奏する。
【図面の簡単な説明】
【図１】本発明の詰め替え用治具の一実施例の構成を説明する図であり、（イ）は正面から見た中心部の縦断面図、（ロ）は下側から見た平面図、（ハ）は側面から見た中心部の縦断面図である。
【図２】本発明の詰め替え用治具を取り付ける注出口付きパウチの一実施例の構成を示す要部の正面図である。
【図３】図２に示した注出口付きパウチに取り付けるキャップの一例の構成を示す図であり、（イ）は中心部の縦断面図、（ロ）は下側から見た平面図、（ハ）は正面図である。
【図４】本発明の詰め替え用治具を取り付けた詰め替え用パウチの一実施例の構成を説明する要部の正面図である。
【符号の説明】
１　パウチの支持部
２　パウチの注出口に係止する係止部
３　ボトルの口部に嵌め込む装着部
４　キャップの外周壁
５　キャップのネジ部
６　パウチの注出口
７　筒状部
８ａ　、８ｂ　、８ｃ　　フランジ
９　注出口のネジ部
１０　接着基部
１１　パウチ本体
１２　ヒートシール部
５０　キャップ
１００　詰め替え用治具
２００　注出口付きパウチ
３００　詰め替え用治具を取り付けた詰め替え用パウチ
【図１】
2004123098.tif 000003
【図２】
2004123098.tif 000004
【図３】
2004123098.tif 000005
【図４】
2004123098.tif 000006